(57)【要約】徒手体操、ヨガ、または上体起こしのような軽い運動をする場合に使用するマットをフロア底に堅く固定させることによって、運動者の動きによってマットが動くことを防止し、併せて上体起こしを容易にすることができるようにした運動補助用マットが開示されている。上記運動補助用マットは、一側上部面に上体起こしのための足掛部が設置され、両側底面部には複数の凹溝が形成された主マット、上記主マットに結合して使用する複数の補助マット、及び上記主マットの底面コーナー部と上記補助マットの各々の底面コーナー部に設置される複数の吸着板を含み、上記主マットの複数の凹溝の各々には凹部型ベルクロテープが取り付けられ、上記補助マットには上記主マットの複数の凹溝に対応する位置に突出型ベルクロテープが側面に突出して設置されることを特徴とする。
2010511472.tif 000002
【特許請求の範囲】
【請求項１】
一側上部面に上体起こしのための足掛部１３が設置され、両側底面部には複数の凹溝１５が形成された主マット１０と、
主マット１０に結合して使用する複数の補助マット３０、４０と、
主マット１０の底面コーナー部と前記補助マットの各々の底面コーナー部に設置される複数の吸着板５０と、を含み、
主マット１０の複数の凹溝１５の各々には凹部型ベルクロテープ１７が取り付けられ、前記補助マットには主マット１０の複数の凹溝１５に対応する位置に突出型ベルクロテープ３５、４５が側面に突出して設置されることを特徴とする運動補助用マット。
【請求項２】
一側上部面に上体起こしのための足掛部１３が設置され、両側底面部には複数の凹溝１５が形成され、底面両端部には短幅方向に沿って複数のガイド溝２１０が形成された主マット１０と、
前記主マット１０に結合して使用し、底面両端部には短幅方向に沿って複数のガイド溝２３０、２４０が形成された複数の補助マット３０、４０と、
前記主マット１０のガイド溝２１０と前記補助マットのガイド溝２３０、２４０に分離可能に結合される複数の吸着板５０と、を含み、
前記主マット１０の複数の凹溝１５の各々には凹部型ベルクロテープ１７が取り付けられ、前記補助マットには前記主マット１０の複数の凹溝１５に対応する位置に突出型ベルクロテープ３５、４５が側面に突出して設置されることを特徴とする運動補助用マット。
【請求項３】
前記主マット１０は、その上部面に短幅部分を横切る複数の折畳凹部１１を備え、前記複数の補助マットは各々その上部面に短幅部分を横切る複数の折畳凹部３１、４１を備えることを特徴とする請求項１または２に記載の運動補助用マット。
【請求項４】
前記主マット１０の一側部には一対のスリット１１４、１１６が形成され、
足掛部１３は前記スリット１１４を通過して前記主マット１０の内側に固定結合される第１ベルト１２６と、前記第１ベルト１２６の端部に連結された連結環１２４、及び前記スリット１１６を通過して主マット１０の内側に固定結合される第２ベルト１２８とを含み、
前記第２ベルト１２８の端部の外側面には突出型ベルクロテープ１３４が設置され、前記スリット１１６に隣接した前記第２ベルト１２８の外側面には凹部型ベルクロテープ１３６が長く設置されることを特徴とする請求項１または２に記載の運動補助用マット。
【請求項５】
前記足掛部１３が設置される前記主マット１０の底面には複数の吸着板が更に設置されることを特徴とする請求項１または２に記載の運動補助用マット。
【請求項６】
前記主マット１０の長幅部分の一側面には締結装置２０が更に含まれることを特徴とする請求項１または２に記載の運動補助用マット。
【発明の詳細な説明】
【技術分野】
【０００１】
本発明は、運動補助用マットに関し、より詳しくは、徒手体操、ヨガ、または上体起こしのような軽い運動をする場合に使用するマットをフロア底に堅く固定させることによって、運動者の動きによってマットが動くことを防止し、併せて上体起こしを容易にすることができるようにする運動補助用マットに関する。
【背景技術】
【０００２】
一般的な床運動マットの構成において、弾力を与えるためのものとしてコイル型圧縮スプリングを使用しているが、これは床運動マットが設置された体育館の床と合板を損傷させることがあり、長時間使用する場合、圧縮スプリングによる騒音が発生する。また、圧縮スプリングを合板の底面に付着させるためにはスプリング締付金具を別途に作らなければならない。そして、壊されたスプリングを取り替える過程も複雑である。
【０００３】
スプリングが固定された合板の連結方法においても、固定式で連結した場合、床運動マットの上で運動していた選手が着地する時に出る衝撃荷重が合板全体に伝えられるので、選手が得られる弾力が減少して床運動をする選手の技量が減少する。
【０００４】
現在用いられているクッションは巻き物形態を合板の上に敷いてくれるが、長時間使用する場合、クッション板が部分的に収縮変形されて床運動をする選手が均衡を失うことが発生するが、この際、クッション板の取替時に多くの部分を取り替えなければならないという短所がある。
【０００５】
じゅうたんの結束方法において、既存の方法は加熱接着テープ（HEAT BOND TAPE）を使用するが、これは阿膠成分であって、低温低湿な状態で衝撃を与えれば阿膠質が潰れて、一度接着されると分離し難いという短所がある。
【０００６】
また、上体起こし運動がこのように運動効果が優れて素手でも運動が可能な好ましい運動であるにもかかわらず、上体起こし運動の特性上、必ず運動者の足首をつかんで固定させてくれるための運動補助員、または足を掛けてくれるための別途の道具を必要とするところ、このような面倒さによって多くの人々が大きい効果にもかかわらず上体起こし運動を無意識的に忌避している実状である。
【０００７】
併せて、一般的にスポーツセンターなどで使用しているマットはサイズが小さくて１人用のみで使用するため、多数の人員が団体で使用するにはかなり不便性があった。
【発明の概要】
【発明が解決しようとする課題】
【０００８】
本発明の目的は、上記のような問題点を解決するために案出したものであって、フロア底に堅く固定させて使用できるようにした運動補助用マットを提供することにある。
【０００９】
本発明の他の目的は、他人の助けを借りずに上体起こしを一人ですることができるようにした運動補助用マットを提供することにある。
【００１０】
本発明の更に他の目的は、数枚のマットを容易に分離または結合して使用できるようにした運動補助用マットを提供することにある。
【００１１】
本発明の更なる他の目的は、使用後にマットを簡便に折り畳んで保管できるようにした運動補助用マットを提供することにある。
【００１２】
本発明の更に他の目的は、マットの底面部に複数のガイド溝を形成して、吸着板を容易に分離または結合して使用することによって、運動者の選択に従い多様に使用できるようにした運動補助用マットを提供することにある。
【課題を解決するための手段】
【００１３】
上記の目的を達成するために、本発明の一実施形態に係る運動補助用マットは、一側上部面に上体起こしのための足掛部が設置され、両側底面部には複数の凹溝が形成された主マット、上記主マットに結合して使用する複数の補助マット、及び上記主マットの底面コーナー部と上記補助マットの各々の底面コーナー部に設置される複数の吸着板を含み、上記主マットの複数の凹溝の各々には凹部型ベルクロテープが取り付けられて、上記補助マットには上記主マットの複数の凹溝に対応する位置に突出型ベルクロテープが側面に突出して設置されることを特徴とする。
【００１４】
本発明の他の一実施形態に係る運動補助用マットは、一側上部面に上体起こしのための足掛部が設置され、両側底面部には複数の凹溝が形成され、底面両端部には短幅方向に沿って複数のガイド溝が形成された主マット、上記主マットに結合して使用し、底面両端部には短幅方向に沿って複数のガイド溝が形成された複数の補助マット、及び上記主マットのガイド溝と上記補助マットのガイド溝に分離可能に結合される複数の吸着板を含み、上記主マットの複数の凹溝の各々には凹部型ベルクロテープが取り付けられ、上記補助マットには主マットの複数の凹溝に対応する位置に突出型ベルクロテープが側面に突出して設置されることを特徴とする。
【００１５】
上記主マットは、その上部面に短幅部分を横切る複数の折畳凹部を備え、上記複数の補助マットは各々その上部面に短幅部分を横切る複数の折畳凹部を備えることを特徴とする。
【００１６】
上記主マットの一側部には一対のスリットが形成され、上記足掛部は上記スリットを通過して上記主マットの内側に固定結合される第１ベルトと、上記第１ベルトの端部に連結された連結環、及び上記スリットを通過して上記主マットの内側に固定結合される第２ベルトとを含み、上記第２ベルトの端部外側面には突出型ベルクロテープが設置され、上記スリットに隣接した第２ベルトの外側面には凹部型ベルクロテープが長く設置されることを特徴とする。
【００１７】
上記足掛部が設置される主マットの底面には複数の吸着板が更に設置されることを特徴とする。
【００１８】
上記主マットの長幅部分の一側面には締結装置が更に含まれることを特徴とする。
【発明の効果】
【００１９】
本発明の多様な実施形態に係る運動補助用マットによると、フロア底に堅く固定させ使用することによって、運動中に発生できる滑りや身体負傷などを未然に防止することができ、他人の助けを借りずに上体起こしを一人ですることができる長所がある。
【００２０】
また、数枚のマットを容易に分離または結合して使用することができ、使用後にマットを簡便に折り畳んで保管することができる長所がある。
【００２１】
また、マットの底面部に複数のガイド溝を形成して吸着板を容易に分離または結合して使用することによって、運動者の年齢や体重などによって吸着板の個数を異にして吸着固定力が調節できる長所がある。
【図面の簡単な説明】
【００２２】
【図１】本発明の一実施形態に係る運動補助用マットの正面斜視図である。
【図２】図１の底面斜視図である。
【図３】図２のＡ−Ａ線に沿って切取した断面図である。
【図４】本発明の一実施形態に係る運動補助用マット１つを折り畳んだ状態を示す図である。
【図５】本発明の一実施形態に係る運動補助用マット数枚を折り畳んだ状態を示す図である。
【図６】本発明の他の実施形態に係る運動補助用マットを示す正面斜視図である。
【図７】図６の底面斜視図である。
【図８】本発明の他の実施形態に係る運動補助用マット１つを折り畳んだ状態を示す図である。
【図９】本発明の他の実施形態に係る運動補助用マット数枚を折り畳んだ状態を示す図である。
【００２３】
【発明を実施するための形態】
【００２４】
以下、添付された図面を参照しつつ本発明の多様な実施形態に係る運動補助用マットについて詳細に説明する。
【００２５】
図１は本発明の一実施形態に係る運動補助用マットの正面斜視図であり、図２は図１の底面斜視図であり、図３は図２のＡ−Ａ線に沿って切取した断面図であり、図４は本発明の一実施形態に係る運動補助用マット１つを折り畳んだ状態を示す図であり、図５は本発明の一実施形態に係る運動補助用マット数枚を折り畳んだ状態を示す図である。
【００２６】
図１乃至図３に示すように、本発明に係る運動補助用マットは、大別して主マット１０と主マット１０に結合して使用する複数の補助マットを含む。
【００２７】
主マット１０と補助マットは、衝撃を緩和できるようにクッションを持つ部材で製作することが好ましい。
【００２８】
主マット１０は、マットを容易に折り畳むことができるように、その上部面の短幅部分を横切る複数の折畳凹部１１を備える。また、主マット１０の一側部には一対のスリット１１４、１１６が形成されており、一対のスリット１１４、１１６を通じて上体起こしのための足掛部１３が主マット１０の内側に固定結合されている。
【００２９】
足掛部１３は、スリット１１４を通過して主マット１０の内側に固定結合される第１ベルト１２６と、第１ベルト１２６の端部に連結された連結環１２４、及びスリット１１６を通過して主マット１０の内側に固定結合される第２ベルト１２８を備える。
【００３０】
また、第２ベルト１２８の端部の外側面には突出型ベルクロテープ１３４が設置され、スリット１１６に隣接した第２ベルト１２８の外側面には凹部型ベルクロテープ１３６が長く設置される。
【００３１】
したがって、運動者が上体起こしをする場合に、運動者は自身の足首を第１ベルト１２６と第２ベルト１２８との間に位置させ、第２ベルト１２８を連結環１２４に貫通させて自身の足首に合うように引っ張った後、突出型ベルクロテープ１３４を凹部型ベルクロテープ１３６の適正な位置に結合させることができる。このようにすることで、運動者は上体起こし運動時に足首をつかんでくれる力を最適化した状態で運動することができる。結局、足首をつかんでくれる他人の助けを借りずに一人で上体起こしをすることができる。
【００３２】
上記のような構成を有する足掛部１３は、一実施形態を説明するためのものであって、その他にも多様な変形及び変更により本発明の権利範囲内で本発明が実施できることは自明である。
【００３３】
主マット１０の両側底面部には複数の凹溝１５が形成されており、上記各々の凹溝１５には凹部型ベルクロテープ１７が取り付けられる。
【００３４】
また、主マット１０の長幅部分の一側面には締結装置２０が設置できるが、締結装置２０は選択的に弾性バンドでありえり、または紐とファスナーから構成された装置でありえる。
【００３５】
上記補助マットは、第１補助マット３０と第２補助マット４０とを備えるが、このような構成は本発明の説明を容易にするためのものであって、必要によって、より多くの補助マットを結合して使用することができる。
【００３６】
第１補助マット３０は、マットを容易に折り畳めるように、その上部面の短幅部分を横切る複数の折畳凹部３１を備え、第２補助マット４０もその上部面の短幅部分を横切る複数の折畳凹部４１を備える。
【００３７】
第１補助マット３０には、主マット１０の左側凹溝１５に対応する位置に突出型ベルクロテープ３５が側面に突出して設置され、第２補助マット４０には主マット１０の右側凹溝１５に対応する位置に突出型ベルクロテープ４５が側面に突出して設置される。
【００３８】
また、図２及び図３に示すように、主マット１０の底面コーナー部には複数の吸着板５０が取り付けられるが、吸着板５０はフロア底に密着固定されて上記主マットをフロア底に固定させることができる。足掛部１３が設置される主マット１０の底面には複数の吸着板５０が設置されて上体起こしをする時にひどく動くマットをより堅く固定させることができるようにする。即ち、足掛部１３に運動者が足首を掛けた後に上体起こしをするため、その部分に最も多い力が加えられ、それによって主マット１０がフロア底から容易に分離されることがあるが、これを防止するために足掛部１３が設置される底面により多くの複数の吸着板５０が設置されることが好ましい。
【００３９】
また、第１補助マット３０と第２補助マット４０の各々のコーナー部にも吸着板５０が同一な機能のために設置される。
【００４０】
図４に示すように、主マット１０一枚のみを折畳凹部１１に沿って折り畳んだ後に、締結装置２０により縛って定理整頓及び保管することができ、図５に示すように、主マット１０と補助マットを各々折り畳んだ後に、締結装置２０により一度に縛って定理整頓及び保管することもできる。勿論、補助マット３０、４０のそれぞれも別に折り畳んで保管することができる。
【００４１】
図６は本発明の他の実施形態に係る運動補助用マットを示す正面斜視図であり、図７は図６の底面斜視図であり、図８は本発明の他の実施形態に係る運動補助用マット１つを折り畳んだ状態を示す図であり、図９は本発明の他の実施形態に係る運動補助用マット数枚を折り畳んだ状態を示す図である。
【００４２】
本発明の他の実施形態に係る運動補助用マットは、必要によって吸着板を分離することもでき、より多く装着することもできる構造を有することを除いては、本発明の一実施形態に係る運動補助用マットと同一である。したがって、同一な構成要素に対しては同一な図面符号を与える。
【００４３】
図６及び図７に示すように、主マット１０の底面部には短幅方向に沿って複数のガイド溝２１０が形成されるが、特にガイド溝２１０は足掛部１３が位置した主マットの底面部に複数設置され、その反対側の主マットの底面部には１つのガイド溝２１０が設置できる。
【００４４】
また、第１補助マット３０の底面部にも短幅方向に沿って両側にガイド溝２３０が各々形成され、第２補助マット４０の底面部にも短幅方向に沿って両側にガイド溝２４０が各々形成される。
【００４５】
複数のガイド溝２１０、２３０、２４０には複数の吸着板５０がスライディングにより結合または分離できる。吸着板５０は吸着部５１１とフランジ部５１３とから構成されるが、上記フランジ部５１３はガイド溝２１０、２３０、２４０に対応してスライディングできる形状を有する。
【００４６】
このように、複数の吸着板５０を分離または結合できるようにすることで、大人や体重の重い人々の場合には、吸着板５０をたくさん結合させて吸着固定力を高めることができ、反対に、子供や体重の軽い人々の場合には、吸着板５０を少なく結合させて吸着固定力を低めることができる。このようにすることで、子供や女子は運動をした後に少ない力でも底からマットを容易に取り外すことができる長所がある。
【００４７】
図８に示すように、本発明の他の実施形態に係る主マット１０一枚のみを折畳凹部１１に沿って折り畳んだ後に、締結装置２０により縛って定理整頓及び保管することができ、図９に示すように、本発明の他の実施形態に係る主マット１０と補助マットを各々折り畳んだ後に、締結装置２０により一度に縛って定理整頓及び保管することもできる。
【産業上の利用可能性】
【００４８】
前述した本発明に係る運動補助用マットは、単純に運動用に使用することもできるが、必要によって、野外で多様に使われることができる。例えば、テントを設置する場合に、テントの内部の底に本発明のマットを敷いて使用することができるが、この際、テントの内部にベルクロテープを設置し、本発明のマットの底面にベルクロテープを設置して、相互間に固定結合させることもできる。
【符号の説明】
【００４９】
１０  主マット
１１、３１、４１  折畳凹部
１３    足掛部
１５    凹溝
２０    締結装置
３０    第１補助マット
４０    第２補助マット
【図１】
2010511472.tif 000003
【図２】
2010511472.tif 000004
【図３】
2010511472.tif 000005
【図４】
2010511472.tif 000006
【図５】
2010511472.tif 000007
【図６】
2010511472.tif 000008
【図７】
2010511472.tif 000009
【図８】
2010511472.tif 000010
【図９】
2010511472.tif 000011
【国際調査報告】
2010511472.tif 000012
2010511472.tif 000013